(57)【特許請求の範囲】
【請求項１】
風呂の湯張り機能、追い焚き機能、保温機能、補水機能等、人が入浴するために必要な或いは入浴中に必要な風呂機能の少なくとも１つを備えると共に、浴槽を洗浄するための浴槽洗浄機能を備え、リモコンによって前記各機能の運転スイッチをオンすることで、風呂機能運転や浴槽洗浄機能運転を行うようにした風呂装置であって、前記風呂機能運転が行われている場合には前記浴槽洗浄機能運転の運転スイッチがオンされても、該浴槽洗浄機能運転を行わない構成としたコントローラを有することを特徴とする風呂装置。
【請求項２】
風呂機能運転が行われている場合に浴槽洗浄機能運転の運転スイッチがオンされた場合には、浴槽洗浄機能運転を行わないようにすると共にその運転を行わない旨をリモコンにて報知させる構成としたコントローラを有することを特徴とする請求項１に記載の風呂装置。
【請求項３】
風呂機能運転が行われている場合に浴槽洗浄機能運転の運転スイッチがオンされた場合には、浴槽洗浄機能運転を行わないようにすると共にその理由をリモコンにて報知させる構成としたコントローラを有することを特徴とする請求項１に記載の風呂装置。
【請求項４】
風呂の湯張り機能、追い焚き機能、保温機能、補水機能等、人が入浴するために必要な或いは入浴中に必要な風呂機能の少なくとも１つを備えると共に、浴槽を洗浄するための浴槽洗浄機能を備え、リモコンによって前記各機能の運転スイッチをオンすることで、風呂機能運転や浴槽洗浄機能運転を行うようにした風呂装置であって、前記浴槽洗浄機能運転が洗剤洗浄モード中にあるとき若しくは洗剤洗浄モード後のすすぎモード中にあるときに、前記風呂機能運転の運転スイッチがオンされた場合或いは浴槽洗浄機能運転の運転スイッチがオフされた場合には、少なくとも洗剤洗浄モード後のすすぎモードが完了するまでは前記運転スイッチのオン、オフによる運転動作を行わせない構成としたコントローラを有することを特徴とする風呂装置。
【発明の詳細な説明】
【０００１】
【発明の属する技術分野】
本発明は、湯張り機能や追い焚き機能等の人が入浴するために必要な或いは入浴中に必要な風呂機能と、人の非入浴時において浴槽を洗浄する浴槽洗浄機能とを有する風呂装置に関する。
【０００２】
【従来の技術】
上記風呂機能と浴槽洗浄機能とを有する風呂装置は、従来から提供されている。そして、風呂機能については、湯張り機能、追い焚き機能はもとより、保温機能、補水機能等、入浴やその準備に便利で快適な機能となるように種々の風呂機能が提供されている。一方、浴槽洗浄機能については、浴槽を良好に管理するための省人力手段として比較的最近において提供されつつある機能であり、一般的には浴槽水の排水モードと、洗剤による洗浄モードと、すすぎモード等からなる。
【０００３】
【発明が解決しようとする課題】
ところが、上記従来の風呂装置においては、風呂機能を行う運転と、浴槽洗浄機能を行う運転とが、相互に完全に独立した運転形式となっているため、例えば極端な運転操作がなされた場合においては、風呂機能運転が行われている最中においても、浴槽洗浄機能運転が開始されたり、また浴槽洗浄機能運転が行われている最中に風呂機能運転が開始されるといった事態の発生も考えられ、それらの好ましくない事態の発生の予防は、風呂を使用する人の判断力や注意力にのみ専ら依存せられていた。
【０００４】
そこで本発明は、上記従来の風呂装置の欠点を解消し、風呂機能と浴槽洗浄機能とを備えた風呂装置において、風呂使用者等によって好ましくない運転操作が行われたような場合おいても、風呂機能運転と浴槽洗浄機能運転とが相互に他方の機能運転による割り込みをかけられたような場合においても、その割り込みによって運転上の悪影響を及ぼされることなく、それぞれの機能を十分良好に行え、また風呂機能運転と浴槽洗浄機能運転との間での運転の移行が安全に行える風呂装置の提供を課題としている。
【０００５】
【課題を解決するための手段】
上記課題を達成するため、本発明の風呂装置は、風呂の湯張り機能、追い焚き機能、保温機能、補水機能等、人が入浴するために必要な或いは入浴中に必要な風呂機能の少なくとも１つを備えると共に、浴槽を洗浄するための浴槽洗浄機能を備え、リモコンによって前記各機能の運転スイッチをオンすることで、風呂機能運転や浴槽洗浄機能運転を行うようにした風呂装置であって、前記風呂機能運転が行われている場合には前記浴槽洗浄機能運転の運転スイッチがオンされても、該浴槽洗浄機能運転を行わない構成としたコントローラを有することを第１の特徴としている。
また本発明の風呂装置は、上記第１の特徴に加えて、風呂機能運転が行われている場合に浴槽洗浄機能運転の運転スイッチがオンされた場合には、浴槽洗浄機能運転を行わないようにすると共にその運転を行わない旨をリモコンにて報知させる構成としたコントローラを有することを第２の特徴としている。
また本発明の風呂装置は、上記第１の特徴に加えて、風呂機能運転が行われている場合に浴槽洗浄機能運転の運転スイッチがオンされた場合には、浴槽洗浄機能運転を行わないようにすると共にその理由をリモコンにて報知させる構成としたコントローラを有することを第３の特徴としている。
また本発明の風呂装置は、風呂の湯張り機能、追い焚き機能、保温機能、補水機能等、人が入浴するために必要な或いは入浴中に必要な風呂機能の少なくとも１つを備えると共に、浴槽を洗浄するための浴槽洗浄機能を備え、リモコンによって前記各機能の運転スイッチをオンすることで、風呂機能運転や浴槽洗浄機能運転を行うようにした風呂装置であって、前記浴槽洗浄機能運転が洗剤洗浄モード中にあるとき若しくは洗剤洗浄モード後のすすぎモード中にあるときに、前記風呂機能運転の運転スイッチがオンされた場合或いは浴槽洗浄機能運転の運転スイッチがオフされた場合には、少なくとも洗剤洗浄モード後のすすぎモードが完了するまでは前記運転スイッチのオン、オフによる運転動作を行わせない構成としたコントローラを有することを第４の特徴としている。
【０００６】
上記本発明の第２の特徴において、「その運転を行わない旨をリモコンにて報知させる」とは、リモコンの表示部に運転を行わない旨の表示を行ったり、リモコンにより運転を行わない旨を音声で知らせることをいうものとする。
また上記本発明の第３の特徴において、「その理由をリモコンで報知させる」とは、リモコンの表示部に「入浴中」であるといった理由を表示したり、リモコンにより「入浴中」であるといった理由を音声で知らせることをいうものとする。
【０００７】
上記本発明の第１の特徴によれば、風呂機能運転が行われている場合に、誤って浴槽洗浄機能運転の運転スイッチがオンされたような場合においても、浴槽洗浄機能運転が開始されることがないので、人が入浴中に浴槽水の排水が開始されたり、洗剤等が浴槽に導入されるといったことが確実に防止される。
【０００８】
また上記本発明の第２の特徴によれば、上記第１の特徴による作用効果に加えて、浴槽洗浄機能運転の運転スイッチが押された場合でも、その運転が行われない場合には、その旨がリモコンにて報知されるので、使用者はその状況を容易に知ることができる。
【０００９】
また上記本発明の第３の特徴によれば、上記第１の特徴による作用効果に加えて、浴槽洗浄機能運転の運転スイッチが押された場合でも、その運転が行われない場合には、その理由がリモコンにて報知されるので、使用者はその理由乃至状況を容易に知ることができる。
【００１０】
また上記本発明の第４の特徴によれば、浴槽洗浄機能運転が洗剤洗浄モード中にあるとき若しくは洗剤洗浄モード後のすすぎモード中にあるときには、例え風呂機能運転の運転スイッチがオンされても、また浴槽洗浄機能運転の運転スイッチがオフされても、少なくとも洗剤洗浄モード後のすすぎモードが完了するまでは、前記風呂機能運転スイッチのオンによる風呂機能運転は開始されないし、前記浴槽洗浄機能運転スイッチのオフによる浴槽洗浄機能運転の終了もなされない。よって、浴槽に洗剤が付着したまま新たな温水等が浴槽に湯張りされたり、また浴槽に洗剤が付着したまま浴槽洗浄機能運転が終了してしまうことが防止される。
【００１２】
【発明の実施の形態】
図１は本発明風呂装置の全体構成図、図２は台所リモコンの例を示す図、図３は浴室リモコンの例を示す図、図４は風呂機能運転と浴槽洗浄機能運転との関係を示す制御フローチャート、図５は浴槽洗浄機能運転中に風呂機能運転スイッチがオンされた場合の制御フローチャート、図６は浴槽洗浄機能運転における制御フローチャートである。
【００１３】
この風呂装置は、浴槽１０を含むと共に、給湯器付き風呂釜２０、洗剤供給部８０、及びこれらの各部の全体動作を制御するコントローラ９０、リモコン９１、９２を備える。
【００１４】
給湯器付き風呂釜２０は、給湯回路３０、追い焚き回路５０、及び風呂落とし込み回路７０を有する。
【００１５】
給湯回路３０は、上水道からの入水を沸かして浴槽１０や図示しないカラン等に給湯するためのものであって、熱交換器３１を備え、この熱交換器３１の前後の入水路３２と出湯路３３との間がバイパス路３４で接続され、このバイパス路３４の途中に電磁開閉式のバイパス弁３５が設けられている。また、入水路３２には、熱交換器２０への入水量Ｑｃ  を検出する水量センサ３７と入水温度Ｔｃ  を検出する温度センサ３８とが設けられ、また出湯路３３には、熱交換器３１からの出湯温度を検出する缶体温度センサ４０、出湯量を制御する水量サーボ弁４１、及びバイパス路３４からの水が混水された後の湯温を検出する出湯温度センサ４２が設けられている。
【００１６】
一方、追い焚き回路５０は浴槽１０の湯水を循環しつつ追い焚きするもので、追い焚き用の熱交換器５１を備え、この熱交換器５１の前後の吸い込み路５２と吐出路５３との間がバイパス路５４で接続され、このバイパス路５４の途中に電磁開閉式のバイパス弁５５が設けられている。また、浴槽１０の吸い込み口１４に一端側が接続された吸い込み路５２の途中には、浴槽１０の水位を検出する水位センサ５７、強制循環用の循環ポンプ５８、熱交換器５１への入水の有無を検出する水流スイッチ６０、浴槽１０の湯温を検出する温度センサ６１、及び吸い込み路５２を開閉する開閉弁６２が順次配置されている。また、吐出路５３はその途中で２つに分かれ、一方の吐出路は三方弁６５を介して噴気ノズル１１に連通する前述の配管１２が接続され、また、他方の吐出路は洗浄用開閉弁６７及び後述の洗剤供給部８０を介して洗浄ノズル１５に連通する配管１６に接続されている。
【００１７】
さらに、風呂落とし込み回路７０は、上記の給湯回路３０と追い焚き回路５０との間を連結して湯水を浴槽１０に落とし込むためのもので、電磁開閉式の落とし込み弁７１、落とし込み量を検出する水量センサ７２、及び逆止弁７３が順次設けられてなる。
【００１８】
洗剤供給部８０は、洗剤の貯留タンク８１、この貯留タンク８１に連なる洗剤の供給路を開閉する開閉弁８２、及び吐出路５３から配管１６へ供給される湯水の流れによって負圧を発生させて洗剤を配管１６内に引き込むためのベンチュリ８３を有する。
【００１９】
尚、１７は噴気ノズル１１に接続されたエアー吸い込み用のエアー配管、１８はその配管１７の途中に設けられた逆止弁、１９は浴槽１０に浴槽蓋が置かれているか否かを検出するための蓋センサである。また１３は排水栓を開閉する電磁式の開閉弁である。
【００２０】
一方、制御関係は、コントローラ９０と、台所等に設置される台所リモコン９１及び浴室内に設置される浴室リモコン９２からなる。
【００２１】
コントローラ９０は、上記の各リモコン９１、９２からの入力データ、及び給湯器付き風呂釜２０に設けられた各種のセンサ３７、３８、４０‥‥からの検出信号に基づいて、各弁３５、４１、６２、６５、８２‥‥や循環ポンプ５８等の各可動部の動作を制御すると共に、熱交換器３１、５１に対する図示しないバーナの燃焼制御を行うものである。
【００２２】
両リモコン９１、９２は、コントローラ９０に対して各種の指令を入力するためのもので、例えば台所リモコン９１についてみると、図２に示すようにその操作パネル上に装置起動用のスイッチ９１ａ  、風呂機能運転スイッチの１つで、浴槽１０への自動湯張りを行う風呂自動運転スイッチ９１ｂ  、浴槽１０の洗浄を行うための浴槽洗浄機能運転スイッチ９１ｃ  、９１ｄ  等が配置されると共に、給湯時の湯温等を表示する表示部９１ｅ  が設けられている。尚、この実施形態では、標準洗浄の浴槽洗浄機能運転スイッチ９１ｃ  を短時間押せば、“標準洗浄モード”が、このスイッチ９１ｃ  を長時間（例えば５秒）押せば“念入り洗浄モード”が、節約洗浄の浴槽洗浄機能運転スイッチ９１ｄ  を押せば、“節約洗浄モード”が、それぞれ設定されるようになっている。
【００２３】
また浴室リモコン９２についてみると、図３に示すようにその操作パネル上に装置起動用の運転スイッチ９２ａ  、風呂機能運転スイッチの１つで、浴槽１０への自動湯張りを行う風呂自動運転スイッチ９２ｂ  、浴槽１０の洗浄を行うための標準洗浄浴槽洗浄機能運転スイッチ９２ｃ  、節約洗浄浴槽洗浄機能運転スイッチ９２ｄ  等が配置されると共に、表示部９２ｅ  が設けられている。そしてまた風呂機能運転スイッチとして、保温運転スイッチ９２ｆ  、保温を浴槽設定温度よりも少しあつめに行うあつめ保温運転スイッチ９２ｇ  、保温を浴槽設定温度よりも少しぬるめに行うぬるめ保温運転スイッチ９２ｈ  、浴槽水位を所定の設定水位に保持するための補水運転スイッチ９２ｉ  、浴槽水位を所定の設定水位よりすこし高くなるように保持するたっぷり補水運転スイッチ９２ｊ  、追い焚き運転スイッチ９２ｋ  を備えている。
【００２４】
前記台所リモコン９１、浴室リモコン９２において、節約洗浄浴槽洗浄機能運転スイッチ９１ｄ  、９２ｄ  は、そのスイッチ９１ｄ  、９２ｄ  を普通に短時間押してオン状態とした場合には、その本来の節約洗浄の浴槽洗浄機能運転が開始されるが、長時間、例えば連続して２０秒以上オンの状態にすれば、浴槽洗浄機能運転の初期に行われる浴槽水の排水のための前記排水栓解放時間、即ち開閉弁１３の解放時間が変更されるようになされている。この変更は、例えば予め定めた長短２つの異なる解放時間が切り換えるようにすることができる。或いはスイッチ９１ｄ  、９２ｄ  を押している時間に応じた解放時間となるように開閉弁１３の解放時間を変更することができる。
このような開閉弁１３の解放時間の変更は、風呂設置施工時に通常、施工業者による試運転の際に行うものであり、その風呂装置を購入する一般消費者には知られる必要がない。また施工時に一回だけ調整出来ればよいと言えるものである。よってリモコン９１、９２に備えられた何れかのスイッチを兼用して、そのスイッチにおいて通常の操作では行わないような操作を行うことで、前記開閉弁１３の解放時間の変更作業ができるようにすれば、余分なスイッチを付加することなく、しかも、リモコン９１、９２上の操作だけで、容易に排水時間の好ましい設定を行うことができる。
開閉弁１３の解放時間を変更するために兼用して用いるスイッチは、必ずしも前記節約洗浄浴槽洗浄機能運転スイッチ９１ｄ  、９２ｄ  である必要はなく、他のスイッチであってもよい。
【００２５】
次に前記風呂機能運転が行われている場合に浴槽洗浄機能運転の運転スイッチがオンされた場合の相互の運転の調整をどのように行うかについて、コントローラ９０による制御構成を図４に示すフローに従って説明する。
今、台所リモコン９１や浴室リモコン９２によって浴槽洗浄機能運転スイッチ９１ｃ  、９１ｄ  、９２ｃ  、９２ｄ  がオンされた場合（ステップＳ１でイエス）、コントローラ９０は、風呂機能運転の運転スイッチである、風呂自動運転スイッチ９１ｂ  、９２ｂ  がオンされているか否か（ステップＳ２）、保温運転スイッチ９２ｆ  がオンされているか否か（ステップＳ３）、あつめ保温運転スイッチ９２ｇ  がオンされているか否か（ステップＳ４）、ぬるめ保温運転スイッチ９２ｈ  がオンされているか否か（ステップＳ５）、補水運転スイッチ９２ｉ  がオンされているか否か（ステップＳ６）、たっぷり補水運転スイッチ９２ｊ  がオンされているか否か（ステップ７）、追い焚き運転スイッチ９２ｋ  がオンされているか否か（ステップＳ８）を判断し、これらの何れかの風呂機能運転の何れのスイッチもオンされていない場合（ステップＳ１〜Ｓ８で全てノー）には、浴槽洗浄機能運転を開始する（ステップＳ９）。一方、これらの風呂機能運転の何れかのスイッチがオンされている場合には、風呂機能運転中であるので、コントローラ９０は先になされた浴槽洗浄機能運転の運転スイッチによる運転指令をキャンセルする（ステップＳ１０）。
尚、前記浴槽洗浄機能運転の運転スイッチによる運転指令をキャンセルする場合には、加えて、前記キャンセルの旨或いはその理由をリモコン９１、９２の表示部９１ｅ  、９２ｅ  に表示したり、音声で知らせるようにしてもよい。
以上のようにコントローラ９０が相互の運転を制御することで、浴槽機能運転がなされている場合、即ち人が入浴しているか、或いは入浴を予定しているような場合に、例え誤って浴槽洗浄機能運転が指令された場合でも、その浴槽洗浄機能運転が開始されてしまうことによる不都合を予防することができる。
【００２６】
次に前記浴槽洗浄機能運転が行われている場合に風呂機能運転の運転スイッチがオンされた場合における相互の運転の調整をどのように行うかについて、コントローラ９０による制御構成を図５に示すフローに従って説明する。
浴槽洗浄機能運転の概略を先ず説明すると、この浴槽洗浄機能運転は、先ず浴槽１０内に残留する水を排水する排水モードから開始され、その排水モードが終了すると、温水等を洗浄ノズル１５から浴槽１０内壁に予備的に掛ける予備すすぎモードとなり、予備すすぎモードが終了すると、洗剤が混入された温水等を洗浄ノズル１５から浴槽１０内壁に掛ける洗剤洗浄モードとなり、さらに洗剤洗浄モードが終了すると、すすぎモードとなる。このすすぎモードが終了することで、原則的に浴槽洗浄機能運転が終了する。
図５を参照して、今、台所リモコン９１や浴室リモコン９２によって風呂機能運転スイッチ、例えば風呂自動運転スイッチ９１ｂ  、９２ｂ  がオンされた場合（ステップＳ１１でイエス）、コントローラ９０は、浴槽洗浄機能運転中であるか否かを判断し、否の場合（ステップＳ１２〜Ｓ１６が全てノーの場合）には、浴槽洗浄機能運転ががなされていないので風呂機能運転に移行する（ステップＳ１７）。
次に、コントローラ９０は、風呂機能運転スイッチがオンされた場合（ステップＳ１１でイエス）に浴槽洗浄機能運転中である場合には、浴槽洗浄機能運転がどのモードにあるかを判断し、排水モードにある場合（ステップＳ１２でイエス）、及び予備すすぎモードにある場合（ステップＳ１３でイエス）には、その時点で浴槽洗浄機能運転を終了して（ステップＳ１４）、風呂機能運転に移行する（ステップＳ１７）。一方、浴槽洗浄機能運転のモードが洗剤洗浄モード中である場合（ステップＳ１５）、及びすすぎモード中である場合（ステップＳ１６）には、ただちに浴槽洗浄機能運転を終了することなく、洗剤洗浄モード中にあってはその洗剤洗浄モードが完了し（ステップ１５でイエス）、且つ次のモードであるすすぎモードが完了した（ステップＳ１６でイエス）後に風呂機能運転に移行する（ステップＳ１７）。また、すすぎモード中（ステップＳ１６でイエス）にあっては、そのすすぎモードが完了した後（ステップＳ１６でノー）に風呂機能運転に移行する（ステップＳ１７）。
【００２７】
さらに、浴槽洗浄機能運転が行われている途中で浴槽洗浄機能運転スイッチがオフされた場合（スイッチ９２ｃ  、９２ｄ  がオフされた場合）においても、コントローラ９０は、前記スイッチがオフされた時点が、浴槽洗浄機能運転のモードが洗剤洗浄モード中である場合（ステップＳ１５）、及びすすぎモード中である場合（ステップＳ１６）には、ただちに浴槽洗浄機能運転を終了することなく、洗剤洗浄モード中にあってはその洗剤洗浄モードが完了し（ステップ１５でイエス）、且つ次のモードであるすすぎモードが完了した（ステップＳ１６でイエス）後に浴槽洗浄機能運転を終了する。また、すすぎモード中（ステップＳ１６でイエス）にあってはそのすすぎモードが完了した後（ステップＳ１６でノー）に浴槽洗浄機能運転を終了する。
【００２８】
次に、本発明において、浴槽洗浄機能運転を行う場合のより具体的な実施の形態例を図６に示すフローを参照して説明する。
【００２９】
今、例えば、台所リモコン９１の何れかの浴槽洗浄機能運転スイッチ９１ｃ  、９１ｄ  を操作すると（ステップＳ２１）、これに応じて、コントローラ９０は、台所リモコン９１や浴室リモコン９２の風呂自動運転スイッチ９１ｂ  、９２ｂ  、風呂機能スイッチである各スイッチ９２ｆ  、９２ｇ  、９２ｈ  、９２ｉ  、９２ｊ  、９２ｋ  がオンされているか否か、即ち風呂使用中であるか否かを判別する（ステップＳ２２）。
これらのスイッチがオンされている場合には、風呂が使用中であると判断して（ステップＳ２２でイエス）、浴槽洗浄機能運転をキャンセルすると共に、表示部９１ｅ  、９２ｅ  に風呂使用中である旨を表示する（ステップＳ２３）。
これに対して、前記風呂機能運転スイッチがオンされていない場合には風呂が不使用中であると判別し（ステップＳ２２でノー）、コントローラ９０は、蓋センサ１９の検出出力に基づいて、浴槽１０の浴槽蓋が載置されているか否かを判別する（ステップＳ２４）。
【００３０】
浴槽蓋が載置されていない場合（ステップＳ２４でノー）には、台所リモコン９１の表示部９１ｅ  、場合によっては浴室リモコン９２の表示部９２ｅ  にも、浴槽蓋を載置すべき旨を表示して（ステップＳ２５）、ステップＳ２４に戻る。浴槽１０に浴槽蓋が既に載置されている場合（ステップＳ２４でイエス）には、排水栓の開閉弁１３を開いて浴槽１０から湯水が常に配水される状態とし（ステップ２６）、次に、開閉弁１３を開いてからの経過時間Ｔが予め設定した最大排水時間ＴＭＡＸ  を越えているか否かを判別する（ステップＳ２７）。この場合の最大排水時間ＴＭＡＸ  は、浴槽１０内を満杯状態としてから排水栓の開閉弁１３を開いて、浴槽１０から完全に湯水が排水されるまでに要する時間に更に余裕時間を加算して決定されたもので、例えばＴＭＡＸ  ＝１０分に設定される。
【００３１】
ステップＳ２７で最大排水時間ＴＭＡＸ  が経過しておれば、浴槽１０から完全に湯水が排水されていると判断してステップＳ３０に移行する。またステップＳ２７で最大排水時間ＴＭＡＸ  が経過していなければ（ステップＳ２７でノー）、続いて水位センサ５７の検出出力に基づいて、浴槽１０内の残水があるか否かを判別する（ステップＳ２８）。
そして、水位センサ５７の検出出力がオフになる（ステップＳ２８でイエス）と、次にこの時点からの経過時間Ｔが予め設定した所定時間Ｔ０  を越えているか否かを判別する（ステップＳ２９）。この場合の所定時間Ｔ０  は、浴槽１０の残水が水位センサ５７で検出可能な水位以下となってから、更に排水配管等から完全に残水が排水されるまでに要する時間を考慮して決定されたもので、例えばＴ０  ＝３分に設定されている。
【００３２】
ステップＳ２９で所定時間Ｔ０  が未だ経過していなければ、ステップＳ２７に戻る。一方、所定時間Ｔ０  が経過すれば（ステップＳ２９でイエス）、浴槽１０内に残水がないと判断し、予備すすぎモードに移行する（ステップ３０）。
この予備すすぎモードでは、コントローラ９０は、先ず、給湯器付き風呂釜２０の給湯回路３０のバイパス弁３５を閉じ、落とし込み回路７０の落とし込み弁７１を開き、開閉弁６２及びバイパス弁５５を閉じる。また湯水の吐出路５３の途中の三方弁６５を閉じて、噴気ノズル１１への湯水の吐出を停止する一方、洗浄ノズル１５に通じる洗浄用開閉弁６７を開き、さらに、洗剤供給部８０の開閉弁８２を閉じる。
【００３３】
すると、給湯回路３０の入水路３２からの水が、熱交換器３１及び出湯路３３を介して流れ、更に、落とし込み回路７０を介して追い焚き回路５０の熱交換器５１に供給される。このとき、コントローラ９０は、給湯回路３０の水量センサ４１と落とし込み回路７０の水量センサ７２の両検出出力に基づいて、図示しないカラン等が使用された場合でも、追い焚き回路５０側に常に一定の水量（例えば５リットル／分）が流れ込むように水量サーボ弁４１の開度を調整すると共に、給湯回路３０の熱交換器３１を加熱することにより、所定温度（例えば４８℃）の湯水がここから出湯されるように燃焼制御する。
こうして、給湯器付き風呂釜２０から出た湯水は吐出路５３から洗浄用開閉弁６７を通り、ベンチュリ８３に至るが、洗剤供給部８０の開閉弁８２は閉じられているので、湯水のみが配管１６を通り洗浄ノズル１５から噴射される。これにより、浴槽１０の周壁に付着している湯垢が予備的に洗浄される。また、これにより、浴槽１０が一面濡れているため洗剤を噴射したときに、洗剤が容易に全体に行き渡り、また洗剤に先立って浴槽表面が温められるため、洗剤の洗浄効果を向上させることができる。
【００３４】
そして、この予備洗浄の状態が所定時間Ｔ１  （例えば２．５  分）経過すると（ステップＳ３１でイエス）、次にコントローラ９０は、現在設定されているのが、「標準洗浄モード」、「節約洗浄モード」、「念入り洗浄モード」の何れであるかを判別した後（ステップＳ３２）、水量サーボ弁４１の開度を調節して、給湯器付き風呂釜２０の側から所定の水量（例えば１５リットル／分）が流出するようにすると共に、洗剤供給部８０の開閉弁８２を開く。
これにより、給湯器付き風呂釜２０からの湯水がベンチュリ８３を通過する際に生じる負圧によって、貯留タンク８１に溜められている洗剤が湯水と混合された後、配管１６を通って洗浄ノズル１５から噴射される。これにより、浴槽１０の周壁に付着している湯垢が洗剤混じりの洗浄液によって洗浄される。
【００３５】
ここで、「節約洗浄モード」、「標準洗浄モード」、「念入り洗浄モード」の各設定に応じて、それぞれ所定時間Ｔａ  、Ｔｂ  、Ｔｃ  （ただし、Ｔａ  ＜Ｔｂ  ＜Ｔｃ  ）の間、洗浄ノズル１５から洗剤が混ざった湯水の噴射が継続される（ステップＳ３３、Ｓ３４、Ｓ３５）。この場合の所定時間としては、たとえば、Ｔａ  ＝７秒、Ｔｂ  ＝１６秒、Ｔｃ  ＝３２秒に設定される。
そして、上記何れかの洗浄時間Ｔａ  、Ｔｂ  、Ｔｃ  が経過すると、洗浄タンク８１に配管１６内の湯水が逆流するのを防ぐため、先ず洗剤供給部８０の開閉弁８２を閉じてから、落とし込み回路７０の落とし込み弁７１を閉じて、洗浄ノズル１５からの洗浄液の噴射を一時的に停止（ステップＳ３６）し、その状態で所定時間Ｔ２  が経過するまで待機する（ステップＳ３７）。この待機時間Ｔ２  は、洗剤が湯垢に十分に浸透し、且つ、洗浄液が浴槽１０の側壁を流れ落ち、浴槽１０の内壁全体に浸透するまでの時間を考慮して決定されたもので、例えば、Ｔ２  ＝２分に設定されている。このようにすることにより、汚れのひどい部分には直接吹き付けて汚れを落とし、他の部分はその洗浄剤が流れ落ちるのを利用して洗浄を行うので洗浄液を節約しつつ、効果的に洗浄を行い得る。
【００３６】
次いで、コントローラ９０は、すすぎモードに移行する（ステップＳ３８）。このすすぎモードでの洗浄動作は、ステップＳ３０で説明した場合と同様であるから、ここでは詳しい説明を省略する。
そして、このすすぎモードでの浴槽洗浄が所定時間Ｔ３  （例えば３分）継続さされた後は（ステップＳ３９でイエス）、洗浄用開閉弁６７を閉じる一方、所定の時間（例えば、１０秒）だけ三方弁６５を開いて、噴気ノズル１１から少量の湯水が吐出されるようにして、浴槽１０の底部の腰掛け部に洗浄液が残留しないようにする（ステップＳ４０）。その後は、洗浄用開閉弁６７が閉状態となる。これにより洗浄動作は終了する。尚、ステップＳ４０は浴槽１０の底部に腰掛け部等が無い場合には、特には必要が無い。
【００３７】
尚、その他、関連する動作として、風呂の自動落とし込み動作について説明する。風呂自動運転スイッチ９１ｂ  、９２ｂ  が操作されて浴槽１０に自動的に湯張りを行う場合には、三方弁６５が開状態になるので、給湯器付き風呂釜２０の給湯回路３０から出湯される湯水が落とし込み回路７０及び追い焚き回路５０を経由し、さらに吐出路５３を通って噴気ノズル１１から浴槽１０に注湯される。
また、浴室リモコン９２の追い焚き運転スイッチ９２ｋ  が操作された場合は、給湯器付き風呂釜２０の追い焚き回路５０の循環ポンプ５８が起動されると共に、バイパス弁５５が閉じられ、熱交換器５１がバーナで加熱されるので、浴槽１０の湯水が循環されつつ追い焚きされる。
さらに、浴室リモコン９２の図示しない噴気スイッチが操作された場合には、給湯器付き風呂釜２０の追い焚き回路５０の循環ポンプ５８が起動されると共に、開閉弁６２が閉、バイパス弁５５が開となるので、浴槽１０の湯水が循環されつつ、湯水が吐出路５３から配管１２を通じて噴気ノズル１１から吐出される際に同時にエアー配管１７からのエアーと混合されてエアー混じりの湯水が浴槽１０内に噴出される。
【００３８】
上記の実施形態では、浴槽洗浄の場合に給湯器付き風呂釜２０から供給される湯水の温度は、常に一定（４８℃）としているが、季節変化に対応するため、予備すすぎモード（ステップＳ３０）や、すすぎモード（ステップＳ３８）の際に、外気温に適応した最適な湯温となるように変更してもよい。
例えば、外気温をｔとすると、ｔ＜ｔ１  （例えば１５℃）であれば、湯水の温度を５０℃、ｔ１  ≦ｔ≦ｔ２  （例えば２０℃）であれば、湯水の温度を４６℃、ｔ２  ＜ｔであれば、湯水の温度を４２℃としてもよい。
【００３９】
また、この実施形態では、カラン等の他栓が使用されている場合でも浴槽洗浄が継続されるようにしているが、他栓が使用されている場合には、浴槽洗浄動作を一時的に中断し、その終了後に浴槽洗浄動作を再開するシーケンスとすることも可能である。
さらにまた、この実施形態では、「念入り洗浄モード」が設定された場合には、浴槽洗浄の時間Ｔｃ  が他の洗浄モードの場合よりも長くなるようにしているが（ステップＳ３５）、これに代えて、ステップＳ３４、Ｓ３６、Ｓ３７、Ｓ３８、Ｓ３９までを複数回繰り返すようにしてもよい。
【００４０】
【発明の効果】
本発明は以上の構成よりなり、請求項１に記載の風呂装置によれば、風呂の湯張り機能、追い焚き機能、保温機能、補水機能等、人が入浴するために必要な或いは入浴中に必要な風呂機能の少なくとも１つを備えると共に、浴槽を洗浄するための浴槽洗浄機能を備え、リモコンによって前記各機能の運転スイッチをオンすることで、風呂機能運転や浴槽洗浄機能運転を行うようにした風呂装置であって、前記風呂機能運転が行われている場合には前記浴槽洗浄機能運転の運転スイッチがオンされても、該浴槽洗浄機能運転を行わない構成としたコントローラを有するので、
風呂機能運転が行われている場合に、誤って浴槽洗浄機能運転の運転スイッチがオンされたような場合においても、浴槽洗浄機能運転が開始されてしまうことが防止され、よって人が入浴中に、誤って、浴槽水の排水が開始されたり、洗剤等が浴槽に導入されるといったことを確実に防止することができる。
また請求項２に記載の風呂装置によれば、請求項１に記載の構成による効果に加えて、風呂機能運転が行われている場合に浴槽洗浄機能運転の運転スイッチがオンされた場合には、浴槽洗浄機能運転を行わないようにすると共にその運転を行わない旨をリモコンにて報知させる構成としたコントローラを有するので、
浴槽洗浄機能運転の運転スイッチがオンされた場合でも、その運転が行われない場合には、その旨がリモコンにて報知されるので、使用者はその状況を容易に知ることができる。
また請求項３に記載の風呂装置によれば、請求項１に記載の構成による効果に加えて、風呂機能運転が行われている場合に浴槽洗浄機能運転の運転スイッチがオンされた場合には、浴槽洗浄機能運転を行わないようにすると共にその理由をリモコンにて報知させる構成としたコントローラを有するので、
浴槽洗浄機能運転の運転スイッチがオンされた場合でも、その運転が行われない場合には、その理由がリモコンにて報知されるので、使用者はその理由乃至状況を容易に知ることができる。
また請求項４に記載の風呂装置によれば、浴槽洗浄機能運転が洗剤洗浄モード中にあるとき若しくは洗剤洗浄モード後のすすぎモード中にあるときに、風呂機能運転の運転スイッチがオンされた場合或いは浴槽洗浄機能運転の運転スイッチがオフされた場合には、少なくとも洗剤洗浄モード後のすすぎモードが完了するまでは前記運転スイッチのオン、オフによる運転動作を行わせない構成としたコントローラを有するので、
浴槽洗浄機能運転が洗剤洗浄モード中にあるとき若しくは洗剤洗浄モード後のすすぎモード中にあるときには、例え風呂機能運転の運転スイッチがオンされても、また浴槽洗浄機能運転の運転スイッチがオフされても、少なくとも洗剤洗浄モード後のすすぎモードが完了するまでは、風呂機能運転が開始されるのを遅らせ、また浴槽洗浄機能運転が終了するのを遅らせることができる。よって、浴槽に洗剤が付着したまま新たな温水等が浴槽に湯張りされたり、また浴槽に洗剤が付着したまま浴槽洗浄機能運転が終了してしまうといった事態を確実に予防することができる。
【図面の簡単な説明】
【図１】本発明の風呂装置の全体構成図である。
【図２】台所リモコンの例を示す図である。
【図３】浴室リモコンの例を示す図である。
【図４】風呂機能運転と浴槽洗浄機能運転との関係を示す制御フローチャートである。
【図５】浴槽洗浄機能運転中に風呂機能運転スイッチがオンされた場合の制御フローチャートである。
【図６】浴槽洗浄機能運転における制御フローチャートである。
【符号の説明】
１０  浴槽
１５  洗浄ノズル
２０  給湯器付き風呂釜
３０  給湯回路
５０  追い焚き回路
８０  洗剤供給部
９０  コントローラ
９１  台所リモコン
９２  浴室リモコン
【図１】
0003593841.tif 000002
【図２】
0003593841.tif 000003
【図３】
0003593841.tif 000004
【図４】
0003593841.tif 000005
【図５】
0003593841.tif 000006
【図６】
0003593841.tif 000007